(57)【要約】【課題】間隙が開放する躯体の部分に取付部材により端蓋を取り付け、これ等部材の上にコーナー用カバーを取り付ける構造であるため、製作が容易であって、施工性にも優れ、且つ、外観がよくて、防水機能にも優れるエキスパンションジョイントのコーナーカバー構造を提供すること。【解決手段】カバー本体５を両躯体２、３の端部まで達しないように取り付けて、これにより両躯体２、３間の間隙Ｓが上方へ開放する部分に、変動を吸収する取付手段４によって端蓋７の取付部材８を取り付け、上記取付部材８にはヒンジ９により端蓋７の上部を取り付けて、該端蓋７を外方へ回動できるようにし、間隙Ｓが開放する部分の上側には、カバー本体５への重なり部１１ａと、端蓋７の一部への重なる端壁１０とを有するコーナー用カバー１１を設けた構成。【選択図】図１
2005240324.tif 000002
【特許請求の範囲】
【請求項１】
間隙をおいて相対する両躯体へ、これら躯体の変動を吸収する取付手段により間隙を覆うカバー本体を取り付けて、間隙を閉塞させた構成のエキスパンションジョイントにおいて、
上記カバー本体を両躯体の端部まで達しないように取り付けて、これにより両躯体間の間隙が上方へ開放する部分に、変動を吸収する取付手段によって端蓋の取付部材を取り付け、
この取付部材にはヒンジにより端蓋の上部を取り付けて、該端蓋を外方へ回動できるようにし、
間隙が開放する部分の両躯体の上側には、カバー本体への重なり部と、端蓋の一部への重なる端壁とを有するコーナー用カバーを設けた構成のものである
ことを特徴とするエキスパンションジョイントのコーナーカバー構造。
【請求項２】
上記取付部材に対する端蓋の取り付けをバネ付きヒンジにより行って、端蓋はバネによる付勢で常時、閉じさせておく構成とした
ことを特徴とする請求項１に記載のエキスパンションジョイントのコーナーカバー構造。
【請求項３】
ヒンジにより端蓋を取り付けた取付部材を、躯体の変動を吸収できる取付手段におけるホルダへネジ等で取り付ける構成とした
ことを特徴とする請求項１及び請求２に記載のエキスパンションジョイントのコーナーカバー構造。
【請求項４】
ヒンジで取付部材へ取り付ける端蓋を箱構造に形成して、これに対するヒンジの取り付けを、裏板の内側へ一方の片とヒンジ軸が納まるように行なう構成とした
ことを特徴とする請求項１〜請求３に記載のエキスパンションジョイントのコーナーカバー構造。
【請求項５】
前記躯体上面の長手方向に沿って軌条部を有する長尺の支持部材を設け、上記軌条部には連結部材を摺動可能に配置し、上記連結部材の上記躯体端部側の端部には前記取付手段を設け、この取付手段を前記コーナー用カバーに固定し、かつ取付部材を介して前記端蓋を回動自在に取り付け、上記躯体とは反対側の端部にも取付手段を設け、この取付手段は前記カバー本体に固定した
ことを特徴とする請求項１記載のエキスパンションジョイントのコーナーカバー構造。
【発明の詳細な説明】
【技術分野】
【０００１】
本発明は、躯体間隙の上方を覆うカバー本体の端部を簡単に見栄えよく処理するエキスパンションジョイントのコーナーカバー構造に関する。
【背景技術】
【０００２】
躯体間隙の上方を覆うカバー本体の端部を処理するには、カバー本体の端部に端壁を設けて、この端壁の下部へヒンジにより蓋体を取り付け、この蓋体とカバー本体の下部に設けた突片とをバネで連結することにより蓋体を常時閉じさせるものと、カバーの両側面に設けた支持部にバネを外装した一対のガイドを支持させ、これらガイドの先端を端部カバーへ回動可能に連結して、常時は端部カバーをバネでカバーの端部へ引き付けて置くものとが知られている。（特許文献１及び特許文献２参照）
【特許文献１】特開平９―３１７０３３号
【特許文献２】特開２００３−３５７８号
【０００３】
しかしながら、前者は長大なカバー本体へ直接、端蓋を取り付けるため、製作が難しくて、施工には時間がかかるものであり、後者はガイドがスライドする構造であるため、両躯体が変動するとこじれで動きが悪くなったり、変形したりして、蓋カバーが開いた上体では間隙の水密性が失われる問題点を有する。
【発明の開示】
【発明が解決しようとする課題】
【０００４】
本発明は上記問題点を解消し、間隙が開放する躯体の部分に取付部材により端蓋を取り付け、これ等部材の上にコーナー用カバーを取り付ける構造であるため、製作が容易であって、施工性にも優れ、且つ、外観がよくて、防水機能にも優れるエキスパンションジョイントのコーナーカバー構造を提供することをその課題とする。
【課題を解決するための手段】
【０００５】
前記課題を解消するため、本発明に係るエキスパンションジョイントのコーナーカバー構造は、間隙をおいて相対する両躯体へ、これら躯体の変動を吸収する取付手段により間隙を覆うカバー本体を取り付けて、間隙を閉塞させた構成のエキスパンションジョイントにおいて、上記カバー本体を両躯体の端部まで達しないように取り付けて、これにより両躯体間の間隙が上方へ開放する部分に、変動を吸収する取付手段によって端蓋の取付部材を取り付け、この取付部材にはヒンジにより端蓋の上部を取り付けて、該端蓋を外方へ回動できるようにし、間隙が開放する部分の両躯体の上側には、カバー本体への重なり部と、端蓋の一部への重なる端壁とを有するコーナー用カバーを設けた構成のものであること。
【０００６】
上記取付部材に対する端蓋の取り付けをバネ付きヒンジにより行い、端蓋をバネによる付勢で常時、閉鎖させておく構成としてもよい。
【０００７】
ヒンジにより端蓋を取り付けた取付部材を、躯体の変動を吸収できる取付手段におけるホルダへネジ等で取り付ける構成としてもよい。
【０００８】
ヒンジで取付部材へ取り付ける端蓋を箱構造に形成して、これに対するヒンジの取り付けを、裏板の内側へ一方の片とヒンジ軸が納まるように行なう構成としてもよい。
【０００９】
前記躯体上面の長手方向に沿って軌条部を有する長尺の支持部材を設け、上記軌条部には連結部材を摺動可能に配置し、上記連結部材の上記躯体端部側の端部には前記取付手段を設け、この取付手段を前記コーナー用カバーに固定し、かつ取付部材を介して前記端蓋を回動自在に取り付け、上記躯体とは反対側の端部にも取付手段を設け、該取付手段は前記カバー本体に固定した構成としてもよい。
【発明の効果】
【００１０】
請求項１に係る発明によれば、端蓋をヒンジにより取り付けた取付部材を両躯体上へ固定し、この取付部材の上へ一部がカバー本体へ重ねるコーナー用カバーを取り付けて、その端壁の一部を端蓋の外側へ重ねるものである。従って、コーナーカバー構造を簡単に製作することができて、これを躯体へ取り付けることも容易で短時間に施工でき、端蓋の回動で躯体の変動に対応するから故障、変調等のない作動が確保されて、端蓋による水密保持も良好に行われる。
【００１１】
請求項２に係る発明によれば、端蓋をバネ付きヒンジで取付部材へ取り付けるため、ヒンジを取り付けるだけでバネも取り付けられる作業性の良さがあって、風雨等による端蓋のガタ付きが起らず、水密の保持も良好に行われる。
【００１２】
請求項３に係る発明によれば、端蓋の取付部材を取付手段のブラケットへねじ止めして取り付けるため、端蓋を定位置へ簡単、確実に固定することができて、この取付部材とカバー本体に跨ってコーナーカバーを取り付ければ、コーナーカバーの設置も簡単、確実に行なわれる。
【００１３】
請求項４に係る発明によれば、端蓋を箱構造に形成して、内部の空間へヒンジ軸が収まるヒンジの取り付けを行ったため、ヒンジが見えにくくて外観美が高められ、又、端蓋は堅牢であって衝撃等により損傷を生ずる事がなく、更に、内部へ雨水等が浸入して溜まり、腐食を起させることも防止される。
【００１４】
請求項５に係る発明によれば、端蓋の取付部材を取り付けたホルダを長尺の取付手段に支持させてあるため、躯体が大きく変動する場合も取付手段によるホルダの支持が確保されて端蓋の離脱を起すことがない。
【発明を実施するための最良の形態】
【００１５】
以下に本発明に係るエキスパンションジョイントのコーナーカバー構造の実施形態を図面に付いて説明する。
【００１６】
図１において符号１で示すエキスパンションジョイントのコーナーカバー構造は、図４に示す通り間隙Ｓをおいて相対する躯体２と躯体３へ、両躯体２と３の変動を吸収する取付手段４により間隙Ｓを覆うカバー本体５を取り付けて、間隙Ｓを閉塞させた構成のエキスパンションジョイント６において、上記カバー本体５を図１０に示す通り両躯体２、３の端部まで達しないように取り付けて、これにより両躯体２、３間の間隙Ｓが上方へ開放する部分に、図１に示す通り変動を吸収する取付手段４によって端蓋７の取付部材８を取り付ける。そして、取付部材８にはヒンジ９により端蓋７の上部を取り付けて、該端蓋７を外方へ回動できるようにし、間隙Ｓが開放する部分の上側には、カバー本体５への重なり部１１ａと、端蓋７の一部への重なる端壁１０とを有するコーナー用カバー１１を設けた構成のものである。
【００１７】
上記エキスパンションジョイント６は、図４に示す通り断面が中高の山形をなして、両側に下方へ垂下する側片５ａを設けた長尺のカバー本体５を、躯体２と躯体３の変動を吸収できるように躯体２と躯体３へ取り付ける取付手段４は、図５のようにカバー本体５に合う山形状の断面形状に形成して、内部に図５（ａ）に示す通り上と下へ開口する一対のＴ字溝１２、１２を形成したホルダ１３と、ホルダ１３の下側のＴ字溝１２へ摺動自在に係合する一対の外向き鉤形の摺動部１４、１４を図５（ｂ）のように設けた方形台板１５と、この方形台板１５の下側へ方形台板１５と直行するように取り付ける図５（ｃ）に示す通りのガイド片１６と、ガイド片１６に係合する一対の摺動溝１７、１７を上部に設け、下部に円軸形の摺動部１８を設けた連結部材１９と、長尺で幅の狭い平板で上側に欠円形の軌条部２０を設けた支持部材２１とで構成するものであり、これらの各部材は、アルミニウムまたはその合金の押出成形品を必要寸法に切断するか、ダイカスト成形等で必要寸法に形成する。方形台板１５、ガイド片１６、連結部１９は短尺に形成する。
【００１８】
上記各部材で取付手段４を構成するには、支持部材２１をこれにあけた孔２２へネジ２３を通して躯体２と躯体３のネジ受２４へ締め込んで躯体２と躯体３へ固定し、方形台板１５の下側には、台板１５にあけた孔２５にネジ２６を通して、ガイド片１６にあけたネジ下孔２７へ締め込んでガイド片１６を方形台板１５へ固定する。そして、方形台板１５の摺動部１４、１４をホルダ１３の下側のＴ字溝１４、１４へ係合させ、方形台板１５に取り付けたガイド片１６には、連結部材１９の摺動溝１７、１７を、支持部材２１の軌条部２０には連結部材１９の摺動部１８を係合させると、取付手段４は図６に示す通りに組み立てられて、地震や地盤沈下等が発生して躯体２、３を変動をさせても、この変動を吸収してカバー本体５による間隙Ｓの閉塞を維持する。
【００１９】
また、特に、端部に配する連結部材１９を長尺とし、カバー本体５を外れた取付手段４とカバー本体５と嵌合された取付手段４の両取付手段４が、長尺の連結部材１９に固定され、該連結部材１９が軌条部２０を設けた支持部材２１に摺動可能に係合させてあるため、図１から図２躯体が大きく変動する場合でも、端蓋７を取付けた取付部材８が離脱することがない。
【００２０】
なお、上記ホルダ１３の上側に設けたＴ字溝１２には、カバー本体５の両側に設けた側片５aに対応する係止片２８の取付部２９を図６のように嵌合し、係止片２８をホルダ１３へ固定して、その下端にカバー本体５の側片５aの下部に設けた鉤部３０を係合させ、カバー本体５の側片５ａをしっかりと保持させる。
【００２１】
また、上記支持部材２１はその間隙Ｓに対応する側に、図５（ｅ）に記す通り蟻溝３１等を形成して、この蟻溝３１等に上部が屈曲してカバー本体５の裏面へ接する止水部材３２の取付部３３を嵌合し、支持部材２１へ止水部材３２を取り付けて、カバー本体５と躯体２、３との隙間を塞ぎ、この部分から雨水等が入らないようにする。
【００２２】
上記エキスパンションジョイント６に設けるコーナーカバー構造１は、図７（ａ）（ｂ）に分解斜視図と組立状態を示す端蓋７及び図７（ｃ）に斜視図を示すヒンジ９と、図８（ａ）（ｂ）に分解斜視図と組立状態を示す端蓋７の取付部材８と、上記キスパンションジョイント６の取付手段４と同じ構造であるため、これ等を援用して図面及び説明を省略した取付手段４と、図１０に斜視図とカバー本体５への取付状態を示すコーナー用カバー１１とで構成するものであって、端蓋７とその取付部材８及びコーナー用カバー１１は、アルミニウムまたは鋼等の板材をプレス加工等して形成する。
【００２３】
端蓋７は、コーナー用カバー１１の外側の開口を塞げる大きさの矩形状であって、内部に図１２に示す通りの空間３４を有する箱形に形成する。このため、図７（ｂ）に示す通り、側板３５の後側に折返縁３６を連設したけ前面部材３７と、図７（ａ）に示す通り、前面部材３７に合う外形に形成した裏面板３８とで形成する。
【００２４】
端蓋７を組み立てるには、先ず裏面板３８へヒンジ９を取り付ける。ヒンジ９はその軸３９が空間３４内に位置して、しかも、ヒンジ９が端蓋７の上縁よりも少し下がった位置にあるようにするため、裏面板３８の上側にヒンジ９の幅に合わせた切欠４０を形成し、前面部材３７の上側の側板３５から折返縁３６に跨っても切欠４１を形成する。そして、
裏面板３８の切欠４０からヒンジ９の水平を保つ片４２が内側へ突出し、垂直を保つ片４３は裏面板３８の外面へ重なるようにヒンジ９を置いて、垂直を保つ片４３にあけた孔４４にネジ４５を通し、このネジ４５を裏面板３８にあけたネジ下孔４６へ締め込むとヒンジ９は図７（ｂ）に示す通り裏面板３８へ取り付けられる。
【００２５】
裏面板３８へヒンジ９が取り付けられたら、図７（ｂ）に示す通りに裏面板３８を表面部材３７に対応させて裏面板３８を折返縁３６に当て、裏面板３８にあけた孔４７にネジ４８を通して折返縁３６にあけたネジ下孔４９へ締め込むと、裏面板３８と表面部材３７とは接合されて、内部に空間３４を有する端蓋７を形成する。
【００２６】
ヒンジ９は、図７（ｃ）に示す通り片４２と片４３に食い違い状に筒部４２ａと筒部４３ａを形成し、筒部４２ａの間にはバネスペース５０を設ける。そして、このバネスペース５０にコイルバネ５１を挟み、筒部４２ａと４３ａに軸３９を通すと片４２と片４３が回動自在に連結されるので、コイルバネ５１の一方の腕５１ａを片４２に係合させ、他方の腕５１ｂを片４３に係合させて、バネ５１による付勢で片４２と４３が直角を維持するようにする。
【００２７】
端蓋７の取付部材８は、図８（ａ）に示す通り断面形状がホルダ１３に合う中高の山形状であって、両側に下方へ垂下する側片８ａを有する短寸物に形成し、外端部と内端部の上部に下縁が直線の垂下片５２と垂下片５３とを設けるものであり、外端側の垂下片５２には、ヒンジ９の取り付けに適したＬ形材５４を取り付ける。このＬ形材５４の取り付けは、垂直片５４ａに孔５５をあけて、この孔５５にネジ５６を通し、ネジ５６を取付部材８の垂下片５２にあけたネジ下孔５７へ締め込むと、Ｌ形材５４は図８（ｂ）に示す通り取付部材８へ取り付けられる。
【００２８】
端蓋７を取付部材８へ取り付けるには、ヒンジ９を取り付けた端蓋７を裏面板３８から図７（ｂ）に示す通り突出するヒンジ９の片４２が、取付部材８へ取り付けたＬ形材５４の水平片５４ｂへ乗るようにして、ヒンジ９の片４２にあけた孔５９に図８（ｂ）に示す通りネジ６０を通し、このネジ６０をＬ形材５４の水平片５４ｂにあけたネジ下孔６１へ締め込むと、端蓋７はヒンジ９により取付部材８へ回動自在に取り付けられる。
【００２９】
取付部材８へ端蓋７が取り付けられたら、取付部材８を図９に示す通り間隙Ｓが上方へ開放する部分の躯体２と躯体３へ取付手段４で取り付けられるホルダ１３へ、上側から取付部材８を被せて、内端側の垂下片５３をホルダ１３の内面へ当てて位置を決め、取付部材８にあけた孔６２にネジ６３を通して、このネジ６３をホルダ１３にあけたネジ下孔６４へ締め込むと、取付部材８はホルダ１３へ図１０に示す通りに取り付けられて、この取付部材８へヒンジ９により取り付けられた端蓋７の下部が間隙Ｓの側方カバー材６５へ重なるようにする。
【００３０】
上記のように取付部材８がホルダ１３へ取り付けられたら、コーナー用カバー１１の取付けを行なう。このコーナー用カバー１１は、図１０に示す通りカバー本体５に合う中高の山形状をなす断面形状であって、両側に下方へ垂下する側片１１ｂを有して、その長さは間隙Ｓの開放する部分を覆うとともに、カバー本体５の端部へ重なる重なり部１１ａを前記の通り有するように形成し、かつ、外側端の上部には端蓋７の上部へ一部分が重なる端壁１０を設けられる。
【００３１】
コーナー用カバー１１の取り付けは、コーナー用カバー１１を図１０及び図１１に示す通りその端壁１０側が端蓋７側にあるようにして、取付部材８とカバー本体５の端部との上へ降ろして、端壁１０の下部が端蓋７の上部へ重なるよう位置を決め、両側片１１ａ、１１ａにあけた孔６６にネジ６７を通して、このネジ６７をカバー本体５の両側片５ａ、５ａにあけたネジ下孔６８へ締め込むと、コーナー用カバー１１はカバー本体５へ取り付けられて、間隙Ｓの端部の開放する部分を閉塞するコーナーカバー構造１を構成する。
【００３２】
前記実施形態に示すエキスパンションジョイントのコーナーカバー構造１は、端蓋７の取付部材８と、コーナー用カバー１１とは別体に形成するため製作が容易であって、取り付けは、先ず端蓋７を組み立てて取付部材８へ取り付け、この取付部材８を間隙Ｓが開放している部分の躯体２と躯体３の上側へ、取付手段４により躯体２、３の変動を吸収できるように取付け、その上側へコーナー用カバー１１を一部がカバー本体５へ重なり、端壁１０の一部が端蓋７の上部外側へ重なるように置いて、コーナー用カバー１１の側片１１ａをカバー本体５へネジ止めすれば、コーナーカバー構造１が短時間で確実に施工される。
【００３３】
また、このコーナーカバー構造１は、端蓋７が箱形に形成されていて、その内側にヒンジ９を取り付けられているため、地震や地盤沈下等が発生しない常態においては、端蓋７がバネ９による付勢で図１、図３（ａ）に示す通り間隙Ｓの側方のカバー材６５（このカバー材は、外壁用エキスパンションジョイントカバーとしてもよい。）へ当接されて垂直の状態を保持していて、この状態ではヒンジ９が外から見えないため外観がよくて、コーナー用カバー１１の端壁１０の一部が端蓋７の上部外側へ重なっているため、風雨時でも端蓋７の内部へ雨水が入り込むことがない。しかし、地震や地盤沈下等が発生して躯体２と躯体３を変動をさせるため、側方カバー材６５が図２及び図３（ｂ）に示す通り動かされて、端蓋７を押すと、バネ９が変形して端蓋７をヒンジ９の軸３９を中心として、図２、図３（ｂ）に示す通り外方へ回動させるものであって、この場合もヒンジ９は外からは見えず、コーナー用カバー１１の端壁１０と端蓋７との重なりは十分に保持されていているため、変動状態においても外観がよくて、雨水が入り込むことがないものである。さらに、水密性をよくするために、コーナー用カバー１１の端壁１０と端蓋７の重なり部にパッキンを配置してもよい。
【産業上の利用可能性】
【００３４】
本発明に係るエキスパンションジョイントのコーナーカバー構造は、躯体の間隙の上方を覆わせるカバー本体の端部へ装着して、カバー本体の端部を簡単に外観が良く閉塞させるのに適用できる。
【図面の簡単な説明】
【００３５】
【図１】エキスパンションジョイントのコーナーカバー構造の常態を示す縦断正面図。
【図２】上記コーナーカバー構造の躯体の変動に対処した状態の縦断正面図。
【図３】（ａ）（ｂ）はコーナーカバー構造の常態と、作動時とを示す説明図。
【図４】図１に示すＡ−Ａ線の縦断側面図。
【図５】（ａ）（ｂ）（ｃ）（ｄ）（ｅ）は、カバー本体を変動が吸収されるように躯体へ取り付ける取付手段の各構成部品を示す斜視図。
【図６】取付手段の組み立て状態を示す縦断側面図。
【図７】（ａ）（ｂ）（ｃ）は、端蓋を構成する部品の構造と組立状態及びヒンジの構造を示す斜視図。
【図８】（ａ）（ｂ）は、端蓋の取付部材を構成する部品の構造と組立状態を示す斜視図。
【図９】端蓋を取り付けた取付部材をホルダへ取り付ける状態を示す斜視図。
【図１０】ホルダに取付部材を取り付けてその上へコーナー用カバーを取り付ける状態を示す斜視図。
【図１１】各部材の取り付けで完成したコーナーカバー構造を示す斜視図。
【図１２】完成したコーナーカバー構成を示すの拡大縦断正面図。
【符号の説明】
【００３６】
１  エキスパンションジョイントのコーナーカバー構造
２、３  躯体
４  取付手段
５  カバー本体
６  エキスパンションジョイント
７  端蓋
８  取付部材
９  ヒンジ
１０  端壁
【図１】
2005240324.tif 000003
【図２】
2005240324.tif 000004
【図３】
2005240324.tif 000005
【図４】
2005240324.tif 000006
【図５】
2005240324.tif 000007
【図６】
2005240324.tif 000008
【図７】
2005240324.tif 000009
【図８】
2005240324.tif 000010
【図９】
2005240324.tif 000011
【図１０】
2005240324.tif 000012
【図１１】
2005240324.tif 000013
【図１２】
2005240324.tif 000014